(57)【要約】      （修正有）【課題】撮影鏡筒を構成する部材の肉厚を増やすことなく強固な構造とすることで送り精度の高い撮影鏡筒及び撮像装置を提供する。【解決手段】レンズ鏡筒は、フォロアピン10が圧入される１群鏡筒８、第１直進筒１３、第１移動カム環１５等を備える。第１移動カム環１５は、１群鏡筒８の内周側に配置されると共にカム溝１５ｅを有し、１群鏡筒８を光軸方向に駆動する。第１直進筒１３は、１群鏡筒８の外周側に配置されると共にキー溝１３ａを有し、１群鏡筒８の光軸方向への直進移動を規制する。フォロアピン１０の一端部である突出部１０ａが第１直進筒１３のキー溝１３ａに嵌合し、フォロアピン１０の他端部が第１移動カム環１５のカム溝１５ｅに係合する。【選択図】図２
2007219304.tif 000002
【特許請求の範囲】
【請求項１】
撮影用の光学部品を保持する筒状の部品保持筒と、
前記部品保持筒の周壁部を貫通して圧入されるカムフォロアと、
前記部品保持筒の内周側に配置されると共にカム溝を有し、前記部品保持筒を光軸方向に駆動する筒状の移動カム筒と、
前記部品保持筒の外周側に配置されると共にキー溝を有し、前記部品保持筒の光軸方向への直進移動を規制する筒状の直進筒とを備え、
前記カムフォロアの一端部を前記直進筒の前記キー溝に嵌合させ、前記カムフォロアの他端部を前記移動カム筒の前記カム溝に係合させることを特徴とする撮影鏡筒。
【請求項２】
前記直進筒は、前記直進筒の周方向において位相が異なる位置に前記キー溝に連通して配設され且つ前記カムフォロアが挿入可能な組み込み用溝を更に有することを特徴とする請求項１記載の撮影鏡筒。
【請求項３】
前記直進筒は、前記組み込み用溝に連通して配設され且つ前記部品保持筒に圧入された前記カムフォロアが挿通可能な貫通穴部を更に有することを特徴とする請求項１又は２記載の撮影鏡筒。
【請求項４】
前記直進筒は、前記直進筒の非対物側の端部に配設され且つ前記直進筒の前記非対物側からの前記部品保持筒の組み込みを阻止する阻止部を更に有することを特徴とする請求項１乃至３の何れかに記載の撮影鏡筒。
【請求項５】
前記請求項１乃至４の何れかに記載の撮影鏡筒が装着されることを特徴とする撮像装置。
【発明の詳細な説明】
【技術分野】
【０００１】
本発明は、光学部品としてのレンズを保持する撮影鏡筒及び撮像装置に関する。
【背景技術】
【０００２】
従来、カメラ本体に装着した沈胴式鏡筒によりレンズを光軸方向へ移動（進退）させることで、変倍動作及び合焦動作を行うカメラがある。沈胴式鏡筒としては、カム駆動によりレンズの移動を行うものがある。撮影倍率が２倍から３倍程度の沈胴式鏡筒は、鏡筒を構成する固定筒から、移動カム環と第１レンズ群を保持する１群鏡筒の２個の筒を繰り出す二段構成をとるのが一般的である。
【０００３】
上記沈胴式鏡筒としては次のようなものが提案されている（例えば、特許文献１参照）。該鏡筒は、固定筒と移動カム環の筒内面にカム溝を形成し、移動カム環は固定筒に係合し、１群レンズ鏡筒と２群レンズ鏡筒は移動カム環に係合する。更に、移動カム環に対し回転自在且つ一体で移動する直進筒により、１群レンズ鏡筒と２群レンズ鏡筒の光軸方向への直進移動を規制する。これにより、鏡筒を光軸方向へ移動させるズーム駆動機構を構成している。
【０００４】
この場合、１群レンズ鏡筒の直進規制は、１群レンズ鏡筒の周方向に１２０度の等間隔で形成された軸穴に圧入されるカムフォロアの回りに設けた突起部を、直進筒の直進溝穴に嵌合させて光軸方向へガイドすることで行っている。
【０００５】
また、上記沈胴式鏡筒としては次のようなものが提案されている（例えば、特許文献２参照）。該鏡筒は、差動筒（カム筒）に駆動ピンを固定し、駆動ピンの一端を直進ガイドの抜け止めとし、駆動ピンの他端を駆動リングからの駆動力の伝達ピンとしている。これにより、１つの駆動ピンに、直進筒と差動筒を一体的に保持する抜け止め用の機能と動力伝達用の機能との２つの機能をもたせている。
【特許文献１】特開２０００−１９４０４５号公報（図１０）
【特許文献２】特開平７−４３５８４号公報
【発明の開示】
【発明が解決しようとする課題】
【０００６】
しかしながら、上記特許文献１で示される鏡筒を直進移動させる場合、１群レンズ鏡筒と直進筒に同じ系列の材料を使用している場合が多いため、１群レンズ鏡筒と直進筒が固着する恐れがある。また、１群レンズ鏡筒に設ける直進ガイド用の突起部は、カムフォロアの軸径よりも大きい径で構成しなければならない。そのため、１群レンズ鏡筒の突起部に嵌合する側の直進筒には大きな直進ガイドを形成しなければならず、その結果、直進筒は脆弱な構造となる欠点があった。
【０００７】
その欠点を解消するために、直進筒の肉厚を増やし強固な構造にすることが要望されているが、肉厚を増やした分だけ鏡筒の径が増大するため、昨今の鏡筒の小型化及び軽量化という面においては不利であった。
【０００８】
また、上記特許文献２で示される鏡筒においては、差動筒に固定される駆動ピンに、直進筒と差動筒を一体的に保持する抜け止め用の機能と動力伝達用の機能とを兼用させている。即ち、直進筒の円筒周面に設けた溝部に駆動ピンの一端を係合せしめ、直進筒と差動筒との一体動作を実現している。しかし、駆動ピンを直進ガイドのキー部材として利用するには至っていない。
【０００９】
本発明の目的は、撮影鏡筒を構成する部材の肉厚を増やすことなく強固な構造とすることで送り精度の高い撮影鏡筒及び撮像装置を提供することにある。
【課題を解決するための手段】
【００１０】
上述の目的を達成するために、本発明の撮影鏡筒は、撮影用の光学部品を保持する筒状の部品保持筒と、前記部品保持筒の周壁部を貫通して圧入されるカムフォロアと、前記部品保持筒の内周側に配置されると共にカム溝を有し、前記部品保持筒を光軸方向に駆動する筒状の移動カム筒と、前記部品保持筒の外周側に配置されると共にキー溝を有し、前記部品保持筒の光軸方向への直進移動を規制する筒状の直進筒とを備え、前記カムフォロアの一端部を前記直進筒の前記キー溝に嵌合させ、前記カムフォロアの他端部を前記移動カム筒の前記カム溝に係合させることを特徴とする。
【発明の効果】
【００１１】
本発明によれば、撮影鏡筒を、部品保持筒に圧入したカムフォロアの一端部を直進筒のキー溝に嵌合させ、カムフォロアの他端部を移動カム筒のカム溝に係合させる構造としている。これにより、直進筒の肉厚を増やすことなく、強固な撮影鏡筒を構成することができると共に、送り精度の高い撮影鏡筒を提供することができる。
【発明を実施するための最良の形態】
【００１２】
以下、本発明の実施の形態を図面を参照して説明する。
【００１３】
図１は、本発明の実施の形態に係る撮像装置としての３段沈胴式カメラに装着される撮影鏡筒としてのレンズ鏡筒の構成を示す分解斜視図である。図２（ａ）は、レンズ鏡筒の沈胴時における断面構造を示す断面図である。図２（ｂ）は、レンズ鏡筒のワイドアングル（以下、ワイドと略称表記）撮影時における断面構造を示す断面図である。図２（ｃ）は、レンズ鏡筒のテレスコープ（以下、テレと略称表記）撮影時における断面構造を示す断面図である。
【００１４】
図１及び図２において、レンズ鏡筒は、１群鏡筒８、フォロアピン１０、第１直進筒１３、第１移動カム環１５、第２直進筒１６、第２移動カム環２０、２群鏡筒１９、第３移動カム環１７、駆動環２６、固定筒２７、３群鏡筒２８、基部３２等を備えている。これらの１群鏡筒８、第１直進筒１３、第１移動カム環１５から３群鏡筒２８までの各部材は、筒状の部材として構成されている。
【００１５】
以下ではレンズ鏡筒の各部の詳細構成について、各部の機能及び動作とともに、図１及び図２並びに図３乃至図１１を参照しながら詳細に説明する。
【００１６】
基部３２は、レンズ鏡筒の後端部に配設されるベースとなる部材であり、該基部３２の前端部にネジにより固定される固定筒２７と共にレンズ鏡筒（鏡筒ユニットの構造体）を構成する。固定筒２７の外周部には、駆動環２６が嵌合している。駆動環２６の外周部には、ギア歯２６ａが形成されている。ズームモータ４１の回転駆動力は、ギア４２〜４６により減速され、ギア歯２６ａを介して駆動環２６に伝達される。
【００１７】
図９（ａ）に示すように、ギア４２には、３枚のプロペラ４２ａが取り付けられている。ギア４２の近傍には、ギア４２の回転に伴うプロペラ４２ａの有無を検知するフォトインタラプタ３６、３７が配置されている。プロペラ４２ａが時計回り（ＣＷ）、反時計回り（ＣＣＷ）にそれぞれ回転する時、フォトインタラプタ３６、３７は、それぞれ図９（ｂ）、図９（ｃ）に示す波形を出力する。
【００１８】
制御部（不図示）によりフォトインタラプタ３６、３７の出力波形の違いを読み取ることで、ズームモータ４１の回転方向を検知することが可能になっている。また、制御部によりフォトインタラプタ３６、３７の出力波形の波数をカウントすることで、レンズ鏡筒の繰り出し位置を検知することが可能になっている。
【００１９】
鏡筒カバー２５は、ギア４２〜４６（ズームギア列）や駆動環２６を覆う役目を果たしているほか、ファインダユニット６１の取り付け地板としての役目を有する。防砂リング２４は、鏡筒カバー２５と後述の直進ガイドキー２３との間に装着されるものであり、レンズ鏡筒内部への砂塵等の進入を防止する。尚、符号５はトーションバネ、符号１１は引っ張りバネである。符号１２はバリア開閉部材であり、バヨネット１２ａ、突起部１２ｂを有する。符号５１はフォーカスモータである。
【００２０】
固定筒２７は、内径部にカム溝２７ｂを備えると共に、該カム溝２７ｂと同じ軌跡を持つ貫通穴２７ｃを備えている。固定筒２７のカム溝２７ｂには、第２移動カム環２０の外周面に配設された穴２０ｅに圧入されている金属製のフォロアピン２１が係合している。固定筒２７の貫通穴２７ｃには、第２移動カム環２０の外周部に配設された突起部２０ａが貫通している。
【００２１】
第２移動カム環２０の突起部２０ａの先端部は、駆動環２６の内周面に配設されたキー溝２６ｂと嵌合している。このため、第２移動カム環２０は、駆動環２６の回動に伴い、固定筒２７のカム溝２７ｂに沿って回動しながら光軸方向に繰り出される。ここで、駆動環２６と固定筒２７が、第１の進退手段１０１として機能する。尚、第１の進退手段１０１としては、固定筒２７に雌ヘリコイドを形成すると共に第２移動カム環２０に雄ヘリコイドを形成することで、第２移動カム環２０を回転させながら繰り出すように構成してもよい。
【００２２】
直進ガイドキー２３は、円環形状に形成されており、円環形状部から直進キー部２３ａ及び曲げ部２３ｂを立ち曲げた形状で配設されている。また、直進ガイドキー２３の円環形状部の外縁には、３箇所の曲げ部２３ｄがそれぞれ不等間隔且つ異なる形状で配設されている。直進ガイドキー２３の曲げ部２３ｄは、第２移動カム環２０の内周面の径方向に沿って配設された溝２０ｄに嵌合している。
【００２３】
また、直進ガイドキー２３の円環形状部の外縁には、３箇所の凸部２３ｃが１２０度の等間隔で配設されている。直進ガイドキー２３の凸部２３ｃは、固定筒２７の内周面に光軸方向に配設されたキー溝２７ａに嵌合している。このため、直進ガイドキー２３は、第２移動カム環２０が回動されても、固定筒２７のキー溝２７ａにガイドされて光軸方向に移動する。遮光シート２２は、直進ガイドキー２３の端面に取り付けられる部材であり、レンズ鏡筒外部から進入してくる光線を遮蔽する。
【００２４】
第１直進筒１３は、１群鏡筒８の光軸方向への直進移動を規制する部材である。１群鏡筒８は、第１レンズ群６を保持する第１レンズホルダ７を保持している。１群鏡筒８の周壁部には、穴８ｃ、８ｄが周方向に１２０度の等間隔で配設されている。１群鏡筒８の穴８ｃ、８ｄには、先端にテーパ部１０ｃを有するフォロアピン１０とサブフォロアピン９がそれぞれ３本ずつ内周側から圧入されている。
【００２５】
この場合、図１０（ａ）に示すように、フォロアピン１０の軸部は、突出部１０ａと鏡筒圧入部１０ｂとから構成されている。図１０（ａ）は、１群鏡筒８と第１直進筒１３とフォロアピン１０の位置を光軸に平行な面で切断した部分的な断面図である。フォロアピン１０の軸部の長さＬは、１群鏡筒８の肉厚Ｔよりも長く設定されている。１群鏡筒８に対するフォロアピン１０の圧入後は、１群鏡筒８の外周面からフォロアピン１０の突出部１０ａが突出（露出）する。フォロアピン１０の突出部１０ａ（一端部）と、第１直進筒１３の内面に配設されたキー溝１３ａとが嵌合している。これにより、１群鏡筒８は第１直進筒１３に対して光軸方向へ直進ガイドされる。
【００２６】
第１直進筒１３の非対物側の端面には、リブ１３ｃが配設されている。これにより、１群鏡筒８は、非対物側（図１の右側）から第１直進筒１３に組み付けることができない構成になっている。そのため、１群鏡筒８は、対物側（図１の左側）から第１直進筒１３に組み付けることになる。
【００２７】
この場合、１群鏡筒８にフォロアピン１０を前もって組み付けてしまうと、フォロアピン１０の突出部１０ａが第１直進筒１３と干渉するため、１群鏡筒８を第１直進筒１３に組み付けることができない。従って、１群鏡筒８に対するフォロアピン１０の完全な組み付けは、１群鏡筒８を第１直進筒１３に組み付けた後に行う必要がある。
【００２８】
ただし、フォロアピン１０の突出部１０ａが１群鏡筒８から突出しない位置において仮止めした後に、１群鏡筒８を第１直進筒１３に組み付けてもよい。しかし、１群鏡筒８に対するフォロアピン１０の完全な組み付け（圧入）は、１群鏡筒８を第１直進筒１３に組み付けた後に行うことに変わりはない。
【００２９】
図２（ａ）に示すように、１群鏡筒８は第１直進筒１３の内周側に収まった状態であるが、この状態では回転位相や光軸方向の位置を規定するものは何もない。この状態で第１直進筒１３の内面に配設されているキー溝１３ａに狙いを付けて１群鏡筒８にフォロアピン１０の圧入を行うと、キー溝１３ａを傷つける恐れが大いにある。これは、組み立て上望ましくない。
【００３０】
そこで、第１直進筒１３の周方向においてキー溝１３ａとは位相の異なる位置に、ある程度幅に余裕を持たせた溝１３ｄをキー溝１３ａに隣接させ且つ連通させて配設している（図１１参照）。１群鏡筒８に対するフォロアピン１０の圧入作業は、溝１３ｄを介して行う。
【００３１】
図１１は、第１直進筒１３の内面を部分的に展開した状態を示す図である。第１直進筒１３の溝１３ｄは、キー溝１３ａと「コ」の字状に繋がっている。１群鏡筒８へのフォロアピン１０の圧入作業の完了後、１群鏡筒８を対物方向にスライドさせ、キー溝１３ａの位置に回転させ、結像面側に１群鏡筒８をスライドさせて組み立てを完了する。
【００３２】
ただし、第１直進筒１３の内面のキー溝１３ａが第１直進筒１３の端部まで設けてある場合においては、上記の組み立て作業は不要になる。この場合は、レンズ鏡筒の外側にキー溝１３ａが露出している状態になるので、その露出箇所に目隠しの部材を貼り付けることで、見栄えを良くすることが望まれる。
【００３３】
また、第１直進筒１３において、１群鏡筒８にフォロアピン１０を圧入するための組み込み位相溝として用いられる溝１３ｄの根元付近には、穴部１３ｅが形成されている。第１直進筒１３の穴部１３ｅは、万が一、レンズ鏡筒の組み立てに不備や不都合が生じ、レンズ鏡筒の分解を余儀なくされた場合を想定して形成したものである。
【００３４】
フォロアピン１０の抜き取り作業時には、先ず、１群鏡筒８に既に圧入されたフォロアピン１０の突出部１０ａを溝１３ｄの位置に配置し、フォロアピン１０の突出部１０ａを目視できる位置まで１群鏡筒８を押し込む（図１０（ｃ））。次に、その位置において金属等の棒状の部材によりフォロアピン１０の後端面を突く。これにより、１群鏡筒８から第１直進筒１３の穴部１３ｅを介してフォロアピン１０の抜き取り作業を行うことができるようにしている。
【００３５】
１群鏡筒８の対物側前面には、レンズ鏡筒の沈胴時（図２（ａ））にレンズを保護するためのレンズバリアとしてのバリア羽根４が配置されている。１群鏡筒８に配設された軸部８ａは、バリア羽根４の裏面に配設された突起部４ａ（不図示）の中心に形成してある軸穴と嵌合し、回動可能になっている。尚、図１に示すバリア羽根４と同一形状のバリア羽根（不図示）が、バリア羽根４に対し１８０度の回転対称な位置に配置される。
【００３６】
第１移動カム環１５は、その外周部に不等間隔で配設された突起部１５ｂと、筒端部に略対角に配設された突起部１５ａとを備えている。第１移動カム環１５は、カム駆動により１群鏡筒８を光軸方向に駆動する。第１移動カム環１５の突起部１５ａと突起部１５ｂとの間に、第１直進筒１３の内周部に形成されているリブ１３ｃが挿み込まれる。第１直進筒１３のリブ１３ｃには、第１移動カム環１５の突起部１５ｂと同じ位相で切り欠き部１３ｄが配設されている。これにより、第１直進筒１３の後方（結像面側）から第１移動カム環１５を組み込むことができる。
【００３７】
第１移動カム環１５に突起部１５ｂを不等間隔で配設しているため、第１直進筒１３と第１移動カム環１５は、互いに組み込み位相以外では回転自在でありながら一体的に光軸方向に移動が可能である。第１移動カム環１５の筒端部に略対角に配設された突起部１５ａの先端は、第２移動カム環２０の内周面に配設されたキー溝２０ｂに嵌合している。これにより、第２移動カム環２０の回転力を第１移動カム環１５に伝達する。
【００３８】
また、第１直進筒１３の切り欠き部１３ｄの一部は、直進ガイドキー２３により直進ガイドされるためのガイドキー溝部として作用し、直進ガイドキー２３のキー部２３ａの幅方向で嵌合している（図４参照）。第１直進筒１３の外周部には、等間隔で３箇所に穴部１３ｂが配設されている。
【００３９】
第１直進筒１３の穴部１３ｂには、フォロアピン１４が圧入されている。フォロアピン１４は、第２移動カム環２０の内周面に配設されたカム溝２０ｃと係合している。第２移動カム環２０が回動すると、第１直進筒１３は第２移動カム環２０のカム溝２０ｃに沿って光軸方向へ駆動される。ここで、第２移動カム環２０と直進ガイドキー２３は、第２の進退手段１０２として機能する。
【００４０】
第１移動カム環１５の外周面と内周面には、それぞれカム溝１５ｅ、１５ｄが配設されている。第１移動カム環１５の外周面に配設されているカム溝１５ｅは、１群鏡筒８に圧入されているフォロアピン１０の他端部及びサブフォロアピン８と係合している。これにより、１群鏡筒８は、第１移動カム環１５の回転に伴い、第１移動カム環１５のカム溝１５ｅに沿って光軸方向へカム駆動される。ここで、第１移動カム環１５と第１直進筒１３は、第３の進退手段１０３として機能する。
【００４１】
上述したように、ズームモータ４１の回転に伴い駆動環２６を介して伝達された駆動力は、第１の進退手段１０１、第２の進退手段１０２、第３の進退手段１０３を経て伝達される。これにより、第１レンズ群６を保持する１群鏡筒８を光軸方向に進退させることになる。
【００４２】
第１移動カム環１５の内周面に配設されているカム溝１５ｄは、第２直進筒１６の外周面に配設されているフォロア部１６ａと係合する。第２直進筒１６の外周には第３移動カム環１７が嵌合している。第３移動カム環１７は、第２直進筒１６に対して光軸方向を中心に回転自在となっている。
【００４３】
また、第３移動カム環１７は、第２直進筒１６の縁に配設された３箇所の突起１６ｃと第２直進筒１６の対物方向に配設された端部のリブとの間に狭持されている（図６、図７（ｂ）参照）。このため、第３移動カム環１７は、光軸方向へ抜け落ちないようになっている。これにより、第２直進筒１６と第３移動カム環１７は一体となって光軸方向への移動が可能となっている。
【００４４】
第３移動カム環１７の外周面には、突起部１７ａが配設されている。第３移動カム環１７の突起部１７ａは、第１移動カム環１５の内周面に光軸方向に刻まれているキー溝部１５ｃと嵌合している。このため、第１移動カム環１５が回転すると、その回転に伴い第３移動カム環１７も回転する。
【００４５】
第２直進筒１６には、直進ガイドキー穴１６ｂが配設されており、直進ガイドキー穴１６ｂには、直進ガイドキー２３の曲げ部２３ｂが嵌まる。これにより、第２直進筒１６は、直進ガイドキー２３により光軸方向へガイドされる（図５参照）。従って、第１移動カム環１５の回転駆動に伴い、第２直進筒１６は第１移動カム環１５の内周面に刻まれているカム溝１５ｄに沿って光軸方向へ移動する。このとき、第３移動カム環１７は、第２直進筒１６と一体的に構成されているために光軸方向へ移動するが、第１移動カム環１５と共に回転動作することになる。
【００４６】
２群鏡筒１９は、第２レンズ群１８、光量を調整する絞り羽根（不図示）、及び光線を遮蔽するシャッタ羽根（不図示）を駆動する機構を備えている。２群鏡筒１９の外周部の先端にテーパ部を有する固定フォロア部１９ａと、圧縮バネ３３により付勢された可動カムフォロア３４（図３参照）とが等分に配置されている。固定フォロア部１９ａと可動カムフォロア３４は、第３移動カム環１７の内周部に配設されたカム溝１７ｂに係合している。また、固定フォロア部１９ａと可動カムフォロア３４は、第２直進筒１６に光軸方向に配設された直進ガイド穴１６ｄに嵌合している。
【００４７】
図７（ａ）は、第２直進筒１６と第３移動カム環１７の内周面を平面に展開した状態を示す模式図、図７（ｂ）は、断面図である。図７（ａ）では、第３移動カム環１７が紙面左右方向に回転動作することを意味している。第３移動カム環１７の紙面左右方向の回転動作に伴い、第３移動カム環１７のカム溝１７ｂに係合する２群鏡筒１９の固定フォロア部１９ａは、カム溝１７ｂに沿って移動する。
【００４８】
２群鏡筒１９は、第２直進筒１６の直進ガイド穴１６ｄにより直進方向の移動が規制される。このため、２群鏡筒１９は、第２直進筒１６と第３移動カム環１７のカム機構で構成される進退手段１０４により光軸方向へ駆動（進退）されることになる。尚、進退手段１０４は、カム機構に限定されるものではない。例えばリニアアクチュエータにより２群鏡筒１９を光軸方向へ駆動してもよいし、スクリューと直進ガイドにより２群鏡筒１９を光軸方向へ駆動してもよい。
【００４９】
このように、第１レンズ群６を保持する１群鏡筒８を進退させる第１の進退手段１０１、第２の進退手段１０２、第３の進退手段１０３からなる一連の進退手段の途中に、進退手段１０４を個別に配設している。進退手段１０４は、第２レンズ群１８を保持する２群鏡筒１９を進退させる。
【００５０】
図８（ａ）〜図８（ｃ）は、第１移動カム環１５、第２直進筒１６、及び第３移動カム環１７の内周面を平面に展開した状態を示す模式図である。今、カメラのレンズ鏡筒を含むシステムの電源が「切断」状態にあり、レンズ鏡筒が沈胴状態にあるものとする。レンズ鏡筒の沈胴状態の一部を図示したものが図８（ａ）である。操作者がレンズ鏡筒の沈胴状態からシステムの電源を投入すると、ズームモータ４１に電流が流され回転力が発生する。
【００５１】
ズームモータ４１の回転力は、減速ギア列４２〜４６を介して駆動環２６に伝達され、更に第２移動カム環２０、第１移動カム環１５へと回転力が伝達される。第１移動カム環１５は、伝達された回転力により図８（ａ）の紙面右側へ移動を開始する。この場合、第１移動カム環１５に配設されたカム溝１５ｄには、第２直進筒１６のフォロア部１６ａが係合している。更に、第２直進筒１６は、直進ガイドキー２３により光軸方向への直進動作がガイドされている。これにより、第２直進筒１６は、第１移動カム環１５のカム溝１５ｄに沿って図８（ａ）の紙面下方へ移動していく。
【００５２】
また、第３移動カム環１７は、第２直進筒１６に対して光軸周りに回転自在でありながら、第２直進筒１６と一体的に構成されている。このため、第３移動カム環１７は、第２直進筒１６と共に光軸に沿って移動する。ここで、第３移動カム環１７の外周部に配設された駆動キー１７ａが、第１移動カム環１５のキー溝部１５ｃに嵌合している。これにより、第１移動カム環１５の回転力は第３移動カム環１７に伝達される。
【００５３】
上述したように、２群鏡筒１９の外周部に配設された固定フォロア部１９ａと、２群鏡筒１９を調心するために圧縮バネ３３により付勢された可動カムフォロア３４は、第３移動カム環１７に配設されたカム溝１７ｂに係合している。また、固定フォロア部１９ａと可動カムフォロア３４は、第２直進筒１６の直進ガイド穴１６ｄに嵌合している。これにより、２群鏡筒１９は、光軸方向へ直進ガイドされ、第３移動カム環１７が回転駆動されるに伴い光軸方向へ駆動されることになる。やがて、２群鏡筒１９は、図８（ｂ）に示すワイド撮影位置へと駆動され、撮影準備が整えられる。
【００５４】
次に、操作者がカメラに装備されたズームレバー（不図示）をテレ方向に操作することにより撮影光学系を変倍動作させた場合、ズームモータ４１に電流が流れ、回転動作を開始する。ズームモータ４１により発生した回転力は、減速ギア列４２〜４６を介して駆動環２６に伝達され、第２移動カム環２０、第１移動カム環１５、そして第３移動カム環１７へと伝達される。やがて、２群鏡筒１９は、図８（ｃ）に示すテレ撮影位置へと駆動される。
【００５５】
このとき、ワイド撮影位置からテレ撮影位置にかけて２群鏡筒１９が光軸方向へ移動する移動量は、以下の変位量と移動量の合計に相当する。即ち、第１移動カム環１５のカム溝１５ｄにおけるワイド撮影位置からテレ撮影位置までの光軸方向の変位量と、第３移動カム環１７のカム溝１７ｂにおけるワイド撮影位置からテレ撮影位置までの光軸方向の移動量の合計に相当する。これにより、２群鏡筒１９の移動ストロークを稼ぐことに寄与すること、即ち、撮影光学系の変倍倍率の高倍率化を可能にしている。
【００５６】
しかも、２群鏡筒１９は可動カムフォロア３４の調心機構を備えている。これにより、２群鏡筒１９の偏心による光学性能の劣化を回避することができる。更に、光学性能の劣化回避ばかりでなく、レンズ鏡筒を構成する各部材が高精度に駆動可能なカム駆動であるため、安定した光学性能を保証することを実現している。
【００５７】
以上説明したように、本実施の形態によれば、第１移動カム環１５は、１群鏡筒８の内周側に配置されると共にカム溝１５ｅを有し、カム駆動により１群鏡筒８を光軸方向に駆動する。第１直進筒１３は、１群鏡筒８の外周側に配置されると共にキー溝１３ａを有し、１群鏡筒８の光軸方向への直進移動を規制する。フォロアピン１０の一端部が第１直進筒１３のキー溝１３ａに嵌合し、フォロアピン１０の他端部が第１移動カム環１５のカム溝１５ｅに係合する。これにより、第１直進筒１３の肉厚を増やすことなく、強固なレンズ鏡筒を構成することができると共に、送り精度の高いレンズ鏡筒を提供することができる。
【００５８】
また、第１直進筒１３は、該第１直進筒１３の周方向において位相が異なる位置にキー溝１３ａに連通して配設され且つフォロアピン１０が挿入可能な幅に余裕を持たせた溝１３ｄを有する。これにより、フォロアピン１０を１群鏡筒８に圧入する際は、第１直進筒１３の溝１３ｄを介して圧入作業を行うことができるため、組み立て性を考慮したレンズ鏡筒を提供することができる。
【００５９】
また、第１直進筒１３は、溝１３ｄの根元付近に配設され且つ１群鏡筒８に圧入されたフォロアピン１０の抜き取りが可能な穴部１３ｅを有する。これにより、レンズ鏡筒を分解する際は、１群鏡筒８に圧入されているフォロアピン１０を穴部１３ｅを介して抜き取ることができるため、分解しやすいレンズ鏡筒を提供することができる。
【００６０】
また、第１直進筒１３は、該第１直進筒１３の非対物側の端部に配設され且つ第１直進筒１３の非対物側からの１群鏡筒８の組み込みを阻止するリブ１３ｃを有する。これにより、１群鏡筒８は必然的に第１直進筒１３の対物側から組み込むことになるため、見栄えの良いレンズ鏡筒を提供することができる。
【００６１】
［他の実施の形態］
上記実施の形態では、レンズ鏡筒が着脱自在に装着される撮像装置として３段沈胴式カメラを例に挙げたが、これに限定されるものではない。本発明の主旨を逸脱しない範囲で任意の段数の沈胴式カメラに適用することが可能である。
【図面の簡単な説明】
【００６２】
【図１】本発明の実施の形態に係る撮像装置としての３段沈胴式カメラに装着される撮影鏡筒としてのレンズ鏡筒の構成を示す分解斜視図である。
【図２】（ａ）は、レンズ鏡筒の沈胴時における断面構造を示す断面図、（ｂ）は、レンズ鏡筒のワイド撮影時における断面構造を示す断面図、（ｃ）は、レンズ鏡筒のテレ撮影時における断面構造を示す断面図である。
【図３】２群鏡筒における可動カムフォロアの配置状態を示す断面図である。
【図４】第１直進筒と直進ガイドキーの構成を示す斜視図である。
【図５】第２直進筒と直進ガイドキーの構成を示す斜視図である。
【図６】第２直進筒と第３移動カム環の構成を示す斜視図である。
【図７】（ａ）は、第２直進筒と第３移動カム環の内周面を平面に展開した状態を示す模式図、（ｂ）は、断面図である。
【図８】（ａ）〜（ｃ）は、第１移動カム環、第２直進筒、及び第３移動カム環の内周面を平面に展開した状態を示す模式図である。
【図９】（ａ）は、ズームモータの回転検出機構を示す図、（ｂ）は、ズームモータの減速機構のプロペラが時計回りに回転する時のフォトインタラプタの出力波形を示す図、（ｃ）は、プロペラが反時計回りに回転する時のフォトインタラプタの出力波形を示す図である。
【図１０】（ａ）は、１群鏡筒と第１直進筒とフォロアピンの位置を光軸に平行な面で切断した部分的な断面図、（ｂ）は、１群鏡筒と第１直進筒とフォロアピンを示す斜視図、（ｃ）は、１群鏡筒と第１直進筒とフォロアピンを示す図である。
【図１１】第１直進筒の内周面を部分的に展開した状態を示す模式図である。
【符号の説明】
【００６３】
６  第１レンズ群（光学部品）
８  １群鏡筒（部品保持筒）
１０  フォロアピン（カムフォロア）
１０ａ  突出部（一端部）
１３  第１直進筒（直進筒）
１３ａ  キー溝（キー溝）
１３ｂ  穴部
１３ｃ  リブ（阻止部）
１３ｄ  溝（組み込み用溝）
１３ｅ  穴部（貫通穴部）
１５  第１移動カム環（移動カム筒）
１５ｅ  カム溝（カム溝）
１６  第２直進筒
１７  第２移動カム環
１８  第２レンズ群
１９  ２群鏡筒
２０  第３移動カム環
２３  直進ガイドキー
２６  駆動環
２７  固定筒
２８  ３群鏡筒
２９  第３レンズ群
【図１】
2007219304.tif 000003
【図２】
2007219304.tif 000004
【図３】
2007219304.tif 000005
【図４】
2007219304.tif 000006
【図５】
2007219304.tif 000007
【図６】
2007219304.tif 000008
【図７】
2007219304.tif 000009
【図８】
2007219304.tif 000010
【図９】
2007219304.tif 000011
【図１０】
2007219304.tif 000012
【図１１】
2007219304.tif 000013